(57)【要約】      （修正有）【課題】異なる方向を向いたダクトを接続するためのダクト接続用ユニットに関し、接続工程の工数が少なく、軽量で作業が軽易で、防食性、防錆性、耐火性に優れて、対害虫・害獣防御にも優れた可撓性ダクト接続用ユニットを提供する。【解決手段】異なる方向を向いた中空ダクトを接続するための両端に中空のダクト接続部材１０を備える中空のダクト接続用ユニット１において、ダクト接続部材は、周方向の断面図が方形であり、両端のダクト接続部材同士が、周方向の断面図が方形である２以上の芯材１２に該芯材同士の間を空けて布製カバー１３を被せることによる蛇腹構造によって接続されている。ダクト接続部材の材質と、蛇腹構造の芯材の材質と、蛇腹構造の布製カバーの材質とが、ガラス繊維強化プラスチックである。【選択図】図２
0003227815.tif 000002
【実用新案登録請求の範囲】
【請求項１】
異なる方向を向いた中空ダクトを接続するための両端に中空のダクト接続部材を備える中空のダクト接続用ユニットにおいて、前記ダクト接続部材は、周方向の断面図が方形であり、前記両端のダクト接続部材同士が、周方向の断面図が方形である２以上の芯材に該芯材同士の間を空けて布製カバーを被せることによる蛇腹構造によって接続されていることを特徴とする可撓性ダクト接続用ユニット。
【請求項２】
前記ダクト接続部材の中空部と、前記蛇腹構造の中空部とに、周方向の断面図が２以上の方形となるように仕切り板が設けられ、前記ダクトの中空部が２以上に中仕切りされていることを特徴とする請求項１に記載の可撓性ダクト接続用ユニット。
【請求項３】
前記ダクト接続部材の材質と、前記蛇腹構造の芯材の材質と、前記蛇腹構造の布製カバーの材質とが、繊維強化プラスティックであることを特徴とする請求項１又は請求項２のいずれか1項に記載の可撓性ダクト接続用ユニット。
【請求項４】
前記繊維強化プラスティックが、ガラス繊維強化プラスティックであることを特徴とする請求項１ないし請求項３のいずれか1項に記載の可撓性ダクト接続用ユニット。
【考案の詳細な説明】
【技術分野】
【０００１】
本考案は電線、信号・情報ケーブル等の保護等の為に用いるダクトの走行方向を変更させて接続するダクト接続ユニットに関し、特に、方形ダクト同士をその水平方向の曲がり、上下方向の曲がりの角度を自在に施工時に調整して接続し得るダクト接続ユニットに関する。
【背景技術】
【０００２】
従来、鉄道や高速道路などで送配電のケーブル等のケーブルを敷設するためのダクトには、コンクリート製の断面がコの字型のダクト本体を線路や道路の脇に埋設して側溝状とし、蓋をかぶせており、線路や道路のカーブに沿った施工が困難であるという問題があった。
【０００３】
カーブに沿ってダクトを曲げる部分には円筒状の蛇腹管を用いることもあるが、コイル状の針金に被膜した形の蛇腹は十分な強度を得ることができず、破損することが多い。
【０００４】
また、断面がロの字状となっているコンクリートダクトと円筒形の蛇腹管を接続する場合に、接続部を密閉するのが困難で、隙間から水や小動物が侵入することで、ダクトに収納したケーブル等が破損する等の被害が出てしまう。
【０００５】
そこで、従来この種のダクトの施工において、おいて、第１のダクトと前記第１のダクトの中心軸と所定の間隔をおいて平行な方向に延びる軸を中心軸とする第２のダクトとを連結する、第１の曲管及び第２の曲管を備えるダクト継手であって、第１の曲管は、第１のダクトと連通し所定の角度で湾曲又は曲折する筒状の第１の曲がり部と、第１の曲がり部の一端を前記第２の曲管に嵌合する嵌合部と、第１の曲がり部の他端を第１のダクトと接続する第１の接続部と、を備え、第２の曲管は、第２のダクトと連通し所定の角度で湾曲又は曲折する筒状の第２の曲がり部と、第２の曲がり部の一端を第１の曲管の前記嵌合部と摺動可能に嵌合して、第１の曲がり部の他端の中心軸と第２の曲がり部の他端の中心軸との距離が前記所定の間隔となる位置で前記嵌合部と固定される被嵌合部と、第２の曲がり部の他端を第２のダクトと接続する第２の接続部と、を備えるダクト継手が知られている（特許文献１）。
【０００６】
また、樹脂製の軽量ダクトであって、直管と各種の曲管をオスーメス構造のアダプターによって接続し、を構成するトラフの口にアダプターを装着し、ダクトがカーブしたり、勾配を昇り降りしたりする場合でも、カーブや勾配に沿って施工することができるダクトが知られている（非特許文献１、非特許文献２）。
【０００７】
特許文献１に係る継手は、カーブや勾配に合わせるために様々な角度で接続できるように、第１の曲管の嵌合部と第２の曲管の被嵌合部とを摺動させて嵌合し、第１のダクトと第２のダクトとを連結することにしているため、断面が円形の円筒なければならず、継手の密閉性は高いが断面がロの字型のダクトとの接合の際の密閉性に問題がある。
【０００８】
非特許文献１と非特許文献２に係るダクトは、カーブや勾配に合わせるために多様な部品を組み合わせて施工しなければならず、工数が多いために工事に係るマンパワーが大きくなり、昨今の人手不足の中で工期内に施工を終了するための経費が多くかかるという問題がある。
【先行技術文献】
【特許文献】
【０００９】
【特許文献１】特開２０１８−１１２３４２
【００１０】
【非特許文献１】中日本ハイウェイ・エンジニアリング東京株式会社軽量ダクトカタログ６ページ  ｈｔｔｐｓ：／／ｗｗｗ．ｃ−ｎｅｘｃｏ−ｈｅｔ−ｔｅｃｈ．ｊｐ／ｐｄｆ／４＿３．ｐｄｆ？ｖ２０１８０９１４
【非特許文献２】軽量ダクト施工手順書７ページ、１１ページ  ｈｔｔｐｓ：／／ｗｗｗ．ｇｏｏｇｌｅ．ｃｏ．ｊｐ／ｕｒｌ？ｓａ＝ｔ＆ｒｃｔ＝ｊ＆ｑ＝＆ｅｓｒｃ＝ｓ＆ｓｏｕｒｃｅ＝ｗｅｂ＆ｃｄ＝５＆ｃａｄ＝ｒｊａ＆ｕａｃｔ＝８＆ｖｅｄ＝２ａｈＵＫＥｗｊｙｐｂＬＡ４７ｖｎＡｈＸＪ３ｍＥＫＨａＧｈＣＮｋＱＦｊＡＥｅｇＱＩＣＢＡＢ＆ｕｒｌ＝ｈｔｔｐｓ％３Ａ％２Ｆ％２Ｆｗｗｗ.ｃ−ｎｅｘｃｏ−ｈｅｔ−ｔｅｃｈ.ｊｐ％２Ｆｐｄｆ％２Ｆ４＿２.ｐｄｆ＆ｕｓｇ＝ＡＯｖＶａｗ１Ｉ４ＯＶ９７ＩＺｗ３ＪＧＤｋ０＿Ｋ４ｉｙＭ
【考案の概要】
【考案が解決しようとする課題】
【００１１】
すなわち、上述した従来のダクト継手やダクトでは、ダクトと継手の接続部の密閉性が確保できなかったり、ダクトの施工にマンパワーが必要で施工経費がかさんだりするなどの問題があった。
【００１２】
本考案はこのような事情に鑑みてなされたものであり、ダクトをカーブや勾配に沿って容易に施工することができて、かつ、施工が容易で大きなマンパワーを必要としないダクト接続ユニットを得ることを目的とする。
【課題を解決するための手段】
【００１３】
このような目的に応えるために本考案に係る可撓性ダクト接続ユニットは、異なる方向を向いた中空ダクトを接続するための両端に中空のダクト接続部材を備える中空のダクト接続用ユニットにおいて、前記ダクト接続部材は、周方向の断面図が方形であり、前記両端のダクト接続部材同士が、周方向の断面図が方形である２以上の芯材に該芯材同士の間を空けて布製カバーを被せることによる蛇腹構造によって接続されていることを特徴とする。
【００１４】
このように構成することにより、本考案に係る可撓性ダクト接続ユニットは、周方向の断面が方形であるダクトと密閉性の高い接続が可能であり、かつ、カーブや勾配に沿って容易に施工することができる上に、コイルに布をはりつけた蛇腹や、円筒表面に凹凸を設けて可撓性を備えさせた樹脂製の蛇腹よりも耐久性が強いという利点がある。
【００１５】
また、本考案に係る可撓性ダクト接続ユニットは、ダクト接続部材の中空部と、蛇腹構造の中空部とに、周方向の断面図が２以上の方形となるように仕切り板が設けられ、前記ダクトの中空部が２以上に中仕切りされていることを特徴とする。
【００１６】
このように構成することにより、密着すると相互に干渉する可能性のあるケーブルを、離して収納することができるという利点がある。
【００１７】
そして、本考案に係る可撓性ダクト接続ユニットは、ダクト接続部材の材質と、前記蛇腹構造の芯材の材質と、前記蛇腹構造の布製カバーの材質とが、繊維強化プラスティックであることを特徴とする。
【００１８】
このように構成することにより、軽量で施工が容易なうえに、耐久性・耐水性・耐蝕性が高く、蛇腹部の経年劣化による破損が少ないという利点がある。
【００１９】
そして、本考案に係る可撓性ダクト接続ユニットは、繊維強化プラスティックが、ガラス繊維強化プラスティックであることを特徴とする。
【００２０】
このように構成することにより、ネズミ等のげっ歯類が固いものをかじる習性により本考案に係るダクト接続ユニットをかじろうとすると、ガラス繊維が口内やのどに刺さるため苦痛を感じ、それ以上かじろうとしないため破損が起こりにくくすることができるという利点がある。
【考案の効果】
【００２１】
以上説明したように本考案に係る可撓性ダクト接続ユニットによれば、線路や高速道路において不可欠のケーブルダクトの施工において、作業が容易でカーブや勾配に沿った設置が可能で、かつ通常断面が方形が多いダクト同士を密閉性が高い状態で接続することができる。
【００２２】
特に、本考案に係る可撓性ダクト接続ユニットによれば、軽量で施工が容易なうえに、耐久性・耐水性・耐蝕性が高く、蛇腹部の経年劣化による破損が少ないという利点がある。
【００２３】
また、屋外に設置されるダクトにおいて、硬いものをかじって歯の育成を調整する習性のげっ歯類（特にネズミ）による食害が生じることが避けられないが、本考案に係る可撓性ダクト接続ユニットによれば、ガラス繊維強化プラスティックをかじって口内にガラス繊維が刺さる苦痛により大きな破損につながらないうえに、ネズミは学習能力が高く、一度苦痛に感じたものをかじらないため、それ以上の破損が防がれるという利点がある。
【図面の簡単な説明】
【００２４】
【図１】本考案に係る可撓性ダクト接続用ユニットの一実施形態を示し、蛇腹カバーをかける前の連結部と蛇腹芯材を並べた状態の斜視図である。
【図２】本考案に係る可撓性ダクト接続用ユニットの平面図である。
【図３】図２の可撓性ダクト接続用ユニットを屈曲させた状態の平面図である。
【図４】本考案に係る可撓性ダクト接続用ユニットと、トラフと、嵌合部とを並べた状態の斜視図である。
【図５】図４の嵌合部をトラフに嵌合させた状態の斜視図である。
【図６】図５の嵌合部の反対側の端を連結部に嵌合させた状態の斜視図である。
【図７】図３の可撓性ダクト接続用ユニットを嵌合部とトラフに結合する前の平面図である。
【図８】図７の嵌合部をトラフに嵌合させた状態の平面図である。
【図９】図８の嵌合部の反対側の端を連結部に嵌合させた状態の平面図である。
【図１０】図２の可撓性ダクト接続用ユニットを図３とは違う形に屈曲させた状態の平面図である。
【図１１】本考案に係る可撓性ダクト接続用ユニットの一実施形態を示し、中仕切りを備えた可撓性ダクト接続用ユニットと、トラフと、嵌合部とを並べた状態の斜視図である。
【図１２】図１１の嵌合部をトラフに嵌合させた状態の斜視図である。
【図１３】図１２の嵌合部の反対側の端を連結部に嵌合させた状態の平面図である。
【図１４】図１１の可撓性ダクト接続用ユニットから蛇腹カバーを除いた状態の一例の斜視図である。
【図１５】図１１の可撓性ダクト接続用ユニットから蛇腹芯材と蛇腹カバーを除いた状態の一例の斜視図である。
【図１６】図１１の連結前の状態の中仕切りを備えた可撓性ダクト接続用ユニットと、トラフと、嵌合部とを並べた状態の平面図である。
【図１７】図１６の嵌合部をトラフに嵌合させた状態の平面図である。
【図１８】図１７の嵌合部の反対側にトラフを嵌合させた状態の平面図である。
【考案を実施するための形態】
【００２５】
図１ないし図１０は本考案に係る可撓性ダクト接続用ユニットの第一の実施形態を示すものであり、これらの図において、全体記号１で示すのは本考案を特徴づける可撓性ダクト接続用ユニットである。
【００２６】
図１に示すのは、連結部１０と蛇腹芯材１２の斜視図及び蛇腹カバーをかける前の連結部１０と蛇腹芯材１２を並べた状態の斜視図であり、連結部１０は蛇腹芯材１２に比べて軸方向の長さが長く構成されている。
【００２７】
図２は、本考案に係る可撓性ダクト接続用ユニット１の平面図であり、可撓性ダクト接続用ユニット１の両端の連結部１０同士は、やや間隔をあけて配された蛇腹芯材１２に蛇腹カバー１３をかぶせた蛇腹部１１でつながれている。
【００２８】
図３は、図２の可撓性ダクト接続用ユニット１を屈曲させた状態の平面図であり、硬い蛇腹芯材１２同士の間隔をあけて蛇腹カバー１３をかぶせることにより、蛇腹部１１が可撓性を備えるように構成されている。
【００２９】
図４ないし図６は、可撓性ダクト接続用ユニット１のダクト用のトラフ１４への接続方法を示す。
【００３０】
図４は、ダクト用のトラフ１４と可撓性ダクト接続用ユニット１と、両者を接続するための嵌合部１５の斜視図である。嵌合部１５を可撓性ダクト接続用ユニット１に差し込んだ後容易に抜けてしまわないように、連結部１０の内側には摩擦力を高めるためのゴム被膜が備えられている。
【００３１】
図５においては、ダクト用のトラフ１４に嵌合部１５を差し込んだ状態を示す。
【００３２】
図６においては、ダクト用のトラフ１４に差し込んだ嵌合部１５の反対側の端を連結部１０に差し込んだ状態を示す。なお、施工の状況により、嵌合部１５を連結部１０に差し込んでから反対の端をトラフ１４に差し込む順番で組み立てることもできる。
【００３３】
図７ないし図９は、屈曲させた可撓性ダクト接続用ユニット１のダクト用のトラフ１４への接続方法を示す略図である。
【００３４】
図７は、屈曲させたダクト用のトラフ１４と可撓性ダクト接続用ユニット１と、両者を接続するための嵌合部１５の、組立前の平面図である。
【００３５】
図８は、屈曲させたダクト用のトラフ１４に嵌合部１５を差し込んだ状態の平面図である。
【００３６】
図９においては、ダクト用のトラフ１４に差し込んだ嵌合部１５の反対側の端を連結部１０に差し込んだ状態を示す。また、施工の状況により、嵌合部１５を連結部１０に差し込んでから反対の端をトラフ１４に差し込む順番で組み立てることもできる。なお、図７ないし図９の屈曲させたダクト用のトラフ１４と可撓性ダクト接続用ユニット１と、両者を接続するための嵌合部１５の位置関係は、略図であるためトラフ１４が動くように見えるが、施工の現場では、固定されたトラフ１４の間に、可撓性ダクト接続用ユニット１を撓ませて嵌合部１５と連結部１０の位置を合わせて組み立てることになる。この場合も、嵌合部１５を連結部１０に差し込んでから反対の端をトラフ１４に差し込む順番で組み立てることもできる。
【００３７】
図１０は可撓性ダクト接続用ユニット１を勾配のある場所に使用する際の側面図である。蛇腹部１１の可撓性を利用して、可撓性ダクト接続用ユニット１を傾斜のある場所に沿って設置することができる。
【００３８】
図１１ないし図１８は本考案に係る可撓性ダクト接続用ユニットの第二の実施形態を示すものであり、これらの図において、全体記号２で示すのは本考案を特徴づける可撓性ダクト接続用ユニットである。
【００３９】
図１１はダクト用の中仕切りトラフ２４と中仕切り可撓性ダクト接続用ユニット２と、両者を接続するための中仕切り嵌合部２５の斜視図である。中仕切り可撓性ダクト接続用ユニット２の中仕切り連結部２０には連結部仕切り２６が、中仕切りトラフ２４にはトラフ仕切り２７が、中仕切り嵌合部２５には嵌合部仕切り２８が、それぞれ設けられている。中仕切り蛇腹部２１内の仕切り構造については後述する。
【００４０】
図１２においては、ダクト用の中仕切りトラフ２４に差し込んだ中仕切り嵌合部２５の反対側の端を中仕切り連結部２０に差し込んだ状態を示す。なお、施工の状況により、中仕切り嵌合部２５を中仕切り連結部２０に差し込んでから反対の端を中仕切りトラフ２４に差し込む順番で組み立てることもできる。
【００４１】
図１３に示すように、図７（ｂ）の状態のケーブルラック支持具５のケーブルラック支持部５４の上部にケーブルラック１を載置すると、壁面接続部補強部５２とケーブルラック支持部補強部５５により、ケーブルラック支持部５４は下方に撓むことなく、安定してケーブルラックを載置することができる。
【００４２】
図１４は中仕切り蛇腹部２１内の１の仕切り構造を示し、可撓性ダクト接続用ユニット２の両端の連結部２０同士の間に蛇腹芯材部仕切り２９を備える中仕切り蛇腹芯材２２を配した状態の斜視図である。実際には中仕切り蛇腹部を構成するために適切な所定の数の中仕切り蛇腹芯材２２を使用し、蛇腹カバーで包むことにより、可撓性ダクト接続用ユニット２の内部全体を２つに仕切ることができる。
【００４３】
図１５は中仕切り蛇腹部２１内の他の仕切り構造を示し、可撓性ダクト接続用ユニット２の両端の連結部２０に設けられた連結部仕切り２６は、可撓性のある板状体で、両連結部２０を結んでいる状態で、これに蛇腹芯材と蛇腹カバーを取り付けることにより、可撓性ダクト接続用ユニット２の内部全体を２つに仕切ることができる。
【００４４】
図１６ないし図１８は、屈曲させた中仕切り可撓性ダクト接続用ユニット２のダクト用の中仕切りトラフ２４への接続方法を示す略図である。
【００４５】
図１６はダクト用の中仕切りトラフ２４と中仕切り可撓性ダクト接続用ユニット２と、両者を接続するための中仕切り嵌合部２５の接続前の平面図である。中仕切り嵌合部２５は、軸方向の長さが中仕切り嵌合部２５よりも短い嵌合部仕切り２８を備える。
【００４６】
図１７はダクト用の中仕切りトラフ２４と中仕切り可撓性ダクト接続用ユニット２と、両者を接続するための中仕切り嵌合部２５の、嵌合部２５を中仕切りトラフ２４に接続した状態の平面図である。トラフ仕切り２７に嵌合部仕切り２８が当たるところまで、中仕切り嵌合部２５を中仕切りトラフ２４に差し込むことができる。
【００４７】
図１８はダクト用の中仕切りトラフ２４と接続した中仕切り嵌合部２５を、中仕切り可撓性ダクト接続用ユニット２の中仕切り連結部２０に接続した状態の平面図である。連結部仕切り２６に嵌合部仕切り２８が当たるところまで、中仕切り嵌合部２５を中仕切り連結部２０に差し込むことができる。なお、施工の状況により、中仕切り嵌合部２５を中仕切り連結部２０に差し込んでから反対の端を中仕切りトラフ２４に差し込む順番で組み立てることもできる。
【００４８】
なお、本考案は上述した実施の形態で説明した構造には限定されず、各部の形状、構造等を適宜変形、変更し得ることはいうまでもない。
例えば、中仕切りの数を増やして可撓性ダクト接続用ユニットの中の空洞を３つ以上にしたり、中仕切りの断面が十字上であるような中仕切りにより、可撓性ダクト接続用ユニットの中の空洞を４つ以上にしたり、さらには断面の形状がハニカム上である中仕切りによって、さらに空洞の数をふやすこともできるものであってもよい。
さらに、トラフとの接合部においては、嵌合のみならず係合など様々な接続構造が考えうる。
勿論、これらに限定されないことも言うまでもない。
【産業上の利用可能性】
【００４９】
本考案のケーブルラックは、鉄道や高速道路などの送配電のケーブル用のダクトのためだけでなく、所定の長さを有する様々な物品を収納する際に使用することができる。建物内のケーブル用ダクトや、野外の仮設建築などにおいても使用することができる。これらもまた本考案の権利範囲である。
【符号の説明】
【００５０】
１      可撓性ダクト接続用ユニット
２      中仕切り可撓性ダクト接続用ユニット
１０    連結部
１１    蛇腹部
１２    蛇腹芯材
１３    蛇腹カバー
１４    トラフ
１５    嵌合部
２０    中仕切り連結部
２１    中仕切り蛇腹部
２２    中仕切り蛇腹芯材
２４    中仕切りトラフ
２５    中仕切り嵌合部
２６    連結部仕切り
２７    トラフ仕切り
２８    嵌合部仕切り
２９    蛇腹芯材仕切り
【図１】
0003227815.tif 000003
【図２】
0003227815.tif 000004
【図３】
0003227815.tif 000005
【図４】
0003227815.tif 000006
【図５】
0003227815.tif 000007
【図６】
0003227815.tif 000008
【図７】
0003227815.tif 000009
【図８】
0003227815.tif 000010
【図９】
0003227815.tif 000011
【図１０】
0003227815.tif 000012
【図１１】
0003227815.tif 000013
【図１２】
0003227815.tif 000014
【図１３】
0003227815.tif 000015
【図１４】
0003227815.tif 000016
【図１５】
0003227815.tif 000017
【図１６】
0003227815.tif 000018
【図１７】
0003227815.tif 000019
【図１８】
0003227815.tif 000020
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
異なる方向を向いた中空ダクトを接続するための両端に中空のダクト接続部材を備える中空のダクト接続用ユニットにおいて、前記ダクト接続部材は、周方向の断面図が方形であり、前記両端のダクト接続部材同士が、周方向の断面図が方形である２以上の芯材に該芯材同士の間を空けて布製カバーを被せることによる蛇腹構造によって接続されていることを特徴とする可撓性ダクト接続用ユニット。
【請求項２】
前記ダクト接続部材の中空部と、前記蛇腹構造の中空部とに、周方向の断面図が２以上の方形となるように仕切り板が設けられ、前記中空ダクトの中空部が２以上に中仕切りされていることを特徴とする請求項１に記載の可撓性ダクト接続用ユニット。
【請求項３】
前記ダクト接続部材の材質と、前記蛇腹構造の芯材の材質と、前記蛇腹構造の布製カバーの材質とが、繊維強化プラスティックであることを特徴とする請求項１又は請求項２のいずれか1項に記載の可撓性ダクト接続用ユニット。
【請求項４】
前記繊維強化プラスティックが、ガラス繊維強化プラスティックであることを特徴とする請求項３に記載の可撓性ダクト接続用ユニット。